(57)【要約】【課題】  サイドカバーのシール性を向上させる。【解決手段】  吹出口４１が設けられた前面から順に、熱交換器、送風機が配置され、送風機が収納された室の底面に吸込グリルを有し、室内天井から吊り下げられて設置される天吊型空気調和装置において、吹出口４１の高さ方向に沿って吹出口４１の側方に断熱材５５が配置された空気調和装置本体１ａと、吹出口４１の側部の形状に沿って、かつ、吹出口４１の高さ方向に沿って並列に第１シール爪４５Ａおよび第２シール爪４５Ｂが突設されて空気調和装置本体の側方を覆うサイドカバー４５と、を備え、サイドカバー４５は、断熱材５５に第１シール爪４５Ａおよび第２シール爪４５Ｂを食い込ませた状態で空気調和装置本体１ａに対して固定される。【選択図】      図７
2005164216.tif 000002
【特許請求の範囲】
【請求項１】
吹出口が設けられた前面から順に、熱交換器、送風機が配置され、前記送風機が収納された室の底面に吸込グリルを有し、室内天井から吊り下げられて設置される天吊型空気調和装置において、
前記吹出口の高さ方向に沿って前記吹出口の側方に弾性部材が配置された空気調和装置本体と、
前記吹出口の側部の形状に沿って、かつ、前記吹出口の高さ方向に沿って並列に複数のシール爪が突設されて前記空気調和装置本体の側方を覆うサイドカバーと、を備え、
前記サイドカバーは、前記弾性部材に前記複数のシール爪を食い込ませた状態で前記空気調和装置本体に対して固定される、
ことを特徴とする天吊型空気調和装置。
【請求項２】
請求項１記載の天吊型空気調和装置において、
複数の前記シール爪のうち、最も前記吹出口の中心に近い側に配置されたシール爪の食い込み量が最も大きくなるようにされていることを特徴とする天吊型空気調和装置。
【請求項３】
請求項２記載の天吊型空気調和装置において、
前記吹出口の中心により近い側に配置されたシール爪の食い込み量が大きくなるようにされていることを特徴とする天吊型空気調和装置。
【請求項４】
請求項２または請求項３に記載の天吊型空気調和装置において、
前記食い込み量が大きくなるに従って、前記シール爪の幅を大きくすることを特徴とする天吊型空気調和装置。
【請求項５】
請求項１ないし請求項４の何れかに記載の天吊型空気調和装置において、
前記シール爪の前記吹出口の高さ方向の長さは、少なくとも前記吹出口の高さと略同一とされていることを特徴とする天吊型空気調和装置。
【請求項６】
請求項１ないし請求項５の何れかに記載の天吊型空気調和装置において、
前記サイドカバーは、前記シール爪の略突設方向に沿ってスライドされることにより前記弾性部材に当該シール爪が食い込まされることを特徴とする天吊型空気調和装置。
【請求項７】
請求項１ないし請求項６の何れかに記載の天吊型空気調和装置において、
前記弾性部材は断熱材であることを特徴とする天吊型空気調和装置。
【発明の詳細な説明】
【技術分野】
【０００１】  本発明は、室内天井に吊り下げられて設置される天井吊型空気調和装置に関する。
【背景技術】
【０００２】  空気調和装置においては、調和対象の室内の空気を取り込むための吸込グリルおよび調和後の空気を吹き出すための吹出口が設けられている。
例えば、懸吊ボルトを用いて室内の天井から吊り下げられて設置される構成の天井吊型空気調和装置（例えば特許文献１参照）にあっては、空気調和機本体底面（建物の床面と対向する面）に吸込グリルが設けられ、空気調和機本体前面側に吹出口が設けられている。
【特許文献１】          特開平９−２７５２５１号公報
【発明の開示】
【発明が解決しようとする課題】
【０００３】  この吸込グリルから効率よく室内の空気を取り込み、吹出口から効率よく空気調和後の空気を吹き出すためには、空気調和機本体のケーシングのシール性（密閉性）を向上させる必要があった。
特にケーシングがサイドカバーを備えている場合には、サイドカバー部分のシール性を向上させないと、吹出口から吹き出された空気調和後の空気がサイドカバーの内側（空気調和装置本体側）に回り込み、結露が発生するという問題点があった。
そこで、本発明の目的は、サイドカバーのシール性を向上させることができる空気調和装置を提供することにある。
【課題を解決するための手段】
【０００４】  上記課題を解決するため、吹出口が設けられた前面から順に、熱交換器、送風機が配置され、前記送風機が収納された室の底面に吸込グリルを有し、室内天井から吊り下げられて設置される天吊型空気調和装置は、前記吹出口の高さ方向に沿って前記吹出口の側方に弾性を有する断熱材が配置された空気調和装置本体と、前記吹出口の側部の形状に沿って、かつ、前記吹出口の高さ方向に沿って並列に複数のシール爪が突設されて前記空気調和装置本体の側方を覆うサイドカバーと、を備え、前記サイドカバーは、前記断熱材に前記複数のシール爪を食い込ませた状態で前記空気調和装置本体に対して固定されることを特徴としている。
この場合において、複数の前記シール爪のうち、最も前記吹出口の中心に近い側に配置されたシール爪の食い込み量が最も大きくなるようにしてもよい。
また、前記吹出口の中心により近い側に配置されたシール爪の食い込み量が大きくなるようにしてもよい。【０００５】  さらにまた、前記食い込み量が大きくなるに従って、前記シール爪の幅を大きくするようにしてもよい。
また、前記シール爪の前記吹出口の高さ方向の長さは、少なくとも前記吹出口の高さと略同一としてもよい。
さらに、前記サイドカバーは、前記シール爪の略突設方向に沿ってスライドされることにより前記弾性部材に当該シール爪が食い込まされるようにしてもよい。
さらにまた、前記弾性部材は断熱材であるようにしてもよい。
【発明の効果】
【０００６】  本発明によれば、サイドカバーのシール性が向上し、吹出口から吹き出された空気調和後の空気がサイドカバーの内側に回り込むことがなくなる。
【発明を実施するための最良の形態】
【０００７】  次に本発明の実施の形態について、図面を参照して説明する。
図１は、本実施形態にかかる天吊型空気調和装置の外観構成を示す斜視図である。図２は、空気調和機本体の内部構造を示す断面図である。図３は、空気調和機本体の内部構造を示す平面図である。
図１に示すように、天吊型空気調和装置１は、空気調和機本体１ａと、ケーシング１２Ａを備えている。このケーシング１２Ａは、空気調和機本体１ａの両側に位置する樹脂製のサイドカバー４５と、空気調和機本体１ａの下部（底部）側に配置された底パネル１４および吸込グリル３７とを備えている。
また、ケーシング１２Ａには、当該空気調和機本体１ａをコントロールするための図示しないリモートコントローラからの指示信号を受信する図示しない受信ユニットがその裏面に配置された受信窓５０が設けられている。【０００８】  図２に示すように、空気調和機本体１ａは、天井から吊り下げられた吊りボルト３に引っかけられて室内天井板５の下面に設置・固定されている。この空気調和機本体１ａには、前面側に吹出口４１が設けられており、前面側から順に、熱交換機１５、送風機１３が配置されている。また、吹出口４１内には、風向を調整するためのルーバー５１が配置されている。さらに、この他にも空気調和機本体１ａ内には、電装箱１１、冷媒配管２９等の各種機器類が収納されている。
本実施形態の送風機１３は、図３に示すように、四台の送風機ユニット２１〜２４を備えており、これらは一台のモータ２５で駆動される回転軸２７上に固定・配置されている。熱交換器１５は、図２に示すようにフィン・チューブ型の熱交換器であり、空気調和機本体１ａ内に斜めに設置される。この熱交換器１５には冷媒配管２９が接続され、この冷媒配管２９は空気調和機本体１ａの外に導出され、室外機（図示せず）の圧縮機、減圧装置、室外熱交換器等に接続される。【０００９】  熱交換器１５の下方には、図２に示すように、発泡スチロール製のドレンパン３１が設置され、このドレンパン３１の下面には板金製パネル３３が設置される。ドレンパン３１のドレン溜まり３１ａには、図３に示すようにフレキシブルチューブ３２を介してドレンポンプユニット３５が接続され、このドレンポンプユニット３５に収容されるドレンポンプは、ドレン溜まり３１ａに収集されたドレンを吸い上げて空気調和機本体１ａの外に排出する。
送風機１３の下方には、図２に示すように、樹脂製の吸込グリル３７が設置され、この吸込グリル３７には空気清浄用のフィルタ３９が取り付けられる。そして、送風機１３が駆動されると吸込グリル３７およびフィルタ３９を通じて室内の空気が空気調和機本体１ａ内に吸い込まれ、この空気は熱交換器１５で熱交換された後に、ルーバー５１により風向が調整されて、吹出口４１を通じて室内に吹き出される。
中仕切板４３は、空気調和機本体１ａの略中央を横断的に仕切る仕切板であり、送風機１３は、この中仕切板４３にて仕切られた室に配置されている。【００１０】  次にサイドカバーのシール構造について詳細に説明する。
図４は、本実施形態にかかる天吊型空気調和装置を天井側から見た場合の外観構成を示す斜視図である。図５は、図４におけるサイドカバー付近の拡大斜視図である。図６は、サイドカバーを取り外した場合のサイドカバー取付部分の拡大斜視図である。図７は、図５におけるＡ−Ａ断面図である。
サイドカバー４５の吹出口４１側の端部には、図６および図７に示すように、吹出口４１の側部の形状に沿って、かつ、吹出口の高さ方向Ｈに沿って並列に第１シール爪４５Ａおよび第２シール爪４５Ｂの二つのシール爪が突設されている。ここで、第１シール爪４５Ａおよび第２シール爪４５Ｂの吹出口４１の高さ方向Ｈの長さは、少なくとも吹出口４１の高さと略同一とされている。また、第１シール爪４５Ａおよび第２シール爪４５Ｂが設けられているサイドカバー４５の断面形状はＦ字形状（あるいは逆Ｆ字形状）とされている。
さらに詳細には、第１シール爪４５Ａの突設方向は、第２シール爪４５Ｂとは異なり、空気調和機本体１ａの前面側から後面側に向かう方向Ｄと並行ではなく、吹出口４１側に第１シール爪４５Ａの先端が傾けて突設されているため、断熱材５５との接触面積がより増大し、確実にシールすることが可能となっている。【００１１】  この場合において、サイドカバー４５の組み付け時には、図７に示すように、方向Ｄに沿ってスライドさせることにより、第１シール爪４５Ａおよび第２シール爪４５Ｂを空気調和機本体１ａに設けられた断熱材５５の前面側の端面５５Ａに食い込ませる。そして、サイドカバー４５は、第１シール爪４５Ａおよび第２シール爪４５Ｂが弾性部材である断熱材５５に食い込まされた状態で空気調和装置本体１ａに対してねじなどで固定されている。
さらに、第１シール爪４５Ａおよび第２シール爪４５Ｂのうち、吹出口４１の中心に近い側に配置された第１シール爪４５Ａの食い込み量（断熱材５５の変形量）は、第２シール爪４５Ｂの食い込み量よりも大きくなるようにされている。【００１２】  すなわち、本実施形態では、断熱材５５の前面側の端面５５Ａに食い込まされる第１シール爪４５Ａの端面４５Ａ１および第２シール爪４５Ｂの端面４５Ｂ１の幅（図７における左右方向の幅）は、第１シール爪４５Ａの端面４５Ａ１の方が第２シール爪４５Ｂの端面４５Ｂ１よりも大きくなるようにされている。
このように、第１シール爪４５Ａおよび第２シール爪４５Ｂのうち、吹出口４１の中心に近い側に配置された第１シール爪４５Ａの食い込み量は、第２シール爪４５Ｂの食い込み量よりも大きくなるようにしているのは、以下の理由による。
シール性を高くするためには、食い込み量が大きい方が有利であるが、食い込み量が大きいと断熱材５５の塑性変形量も大きくなり、メンテナンス等のためサイドカバー４５の取り外しを行った場合には、再度の組み付け時にシール性が低下してしまう可能性が高くなる。【００１３】  そこで、吹出口４１の中心に近い側に配置された第１シール爪４５Ａの食い込み量を第２シール爪４５Ｂの食い込み量よりも大きくなるようにし、第２シール爪４５Ｂ側の断熱材５５の塑性変形量を少なくして、第１シール爪４５Ａによるシール性が多少低下した場合でも、確実にシール性を確保できるようにしているのである。
この結果、高いシール性能の確保と、サイドカバー４５の再組み付けに伴うシール性能の劣化の防止を図ることによるメンテナンス性の確保と、を両立させることが可能となっている。【００１４】  また、以上の説明のように、シール爪に対応する空気調和機本体側のシール部材を断熱材と兼用しているので、部品点数および製造工数が増大することなく、シール性を確保することができる。
以上の説明では、シール爪が二つの場合について説明したが、シール爪を３つ以上設けるように構成することも可能である。
この場合において、これらのシール爪のうち、最も吹出口の中心に近い側に配置されたシール爪の食い込み量（断熱材の変形量）が最も大きくなるようにする。具体的には、少なくとも最も吹出口の中心に近い側に配置されたシール爪の食い込み量を他のシール爪の食い込み量より大きくすれば良く、他のシール爪は同一の食い込み量としても良い。【００１５】  あるいは、吹出口の中心により近い側に配置されたシール爪の食い込み量が大きくなるようにすることも可能である。この場合には、上述したように、食い込み量が大きくなるに従って、シール爪の断熱材に当接する面の幅を大きくするようにすればよい。
以上の説明においては、弾性部材として断熱材を用いる場合を説明したが、断熱性能に拘わらず、シール爪に対する密着性の高い弾性部材を用いるように構成することも可能である。
また、以上の説明においては、シール爪の方向Ｄへの突設量（シール爪の高さ）は、各シール爪で同一としていたが、食い込み量に応じて多少の差を設けることも可能である。すなわち、食い込み量の多いシール爪の高さをより食い込み量の少ないシール爪よりも高くするようにすることも可能である。
【図面の簡単な説明】
【００１６】
【図１】  実施形態の天吊型空気調和装置の外観構成を示す斜視図である。
【図２】  空気調和機本体の内部構造を示す断面図である。
【図３】  空気調和機本体の内部構造を示す平面図である。
【図４】  実施形態の天吊型空気調和装置を天井側から見た場合の外観構成を示す斜視図である。
【図５】  図４におけるサイドカバー付近の拡大斜視図である。
【図６】  サイドカバーを取り外した場合のサイドカバー取付部分の拡大斜視図である。
【図７】  図５におけるＡ−Ａ断面図である。
【符号の説明】
【００１７】  １  天吊型空気調和装置
１ａ  空気調和機本体
１４  底パネル
３７  吸込グリル
３９  フィルタ
４１  吹出口
４５  サイドカバー
４５Ａ  第１シール爪
４５Ｂ  第２シール爪
５５  断熱材（弾性部材）
【図１】
2005164216.tif 000003
【図２】
2005164216.tif 000004
【図３】
2005164216.tif 000005
【図４】
2005164216.tif 000006
【図５】
2005164216.tif 000007
【図６】
2005164216.tif 000008
【図７】
2005164216.tif 000009